(57)【要約】【課題】記録媒体に記録されたコンテンツの複製を制限できる記録媒体処理装置を提供する。【解決手段】第１、第２の記録媒体それぞれから読み出された第１、第２のコンテンツ識別子に基づき、第１のコンテンツに記録されたコンテンツの複製を許可するか否かを複製許可判断部が判断する。第１の記録媒体の複製には、この第１の記録媒体に記録されたコンテンツに対応する第２の記録媒体が必要となるため、第１の記録媒体の複製が制限される。【選択図】図１
2005216376.tif 000002
【特許請求の範囲】
【請求項１】
第１の記録媒体から、コンテンツを識別する第１のコンテンツ識別子、および前記第１のコンテンツ識別子に対応するコンテンツを読み出す第１の読出部と、
第２の記録媒体から、コンテンツを識別する第２のコンテンツ識別子を読み出す第２の読出部と、
前記第１の読出部によって読み出された第１のコンテンツ識別子および前記第２の読出部によって読み出された第２のコンテンツ識別子に基づいて、前記第１の記録媒体に記録されているコンテンツの複製を許可するか否かを判断する複製許可判断部と、
前記複製許可判断部で複製を許可すると判断された場合に、前記第１の読出部で読み出されたコンテンツを記録用の記録媒体である第３の記録媒体に書き込む書込部と、
を具備することを特徴とする記録媒体処理装置。
【請求項２】
前記第１の読出部によって前記第１の記録媒体から読み出されるコンテンツが暗号化された暗号化コンテンツであり、
前記第２の読出部が、前記第２の記録媒体から前記暗号化コンテンツを復号する基準となる基準復号鍵をさらに読み出し、
前記基準復号鍵に基づいて、前記暗号化コンテンツを復号化する復号化処理部、をさらに具備する
ことを特徴とする請求項１記載の記録媒体処理装置。
【請求項３】
前記第１の読出部が、前記第１の記録媒体から、前記第１のコンテンツ識別子に換えて、前記第１の記録媒体を識別する第１の記録媒体識別子を読み出し、
前記第２の読出部が、前記第２の記録媒体から、前記第２の記録媒体を識別する第２の記録媒体識別子をさらに読み出し、
前記基準復号鍵、前記第１、第２の記録媒体識別子、および前記第２のコンテンツ識別子に基づいて、復号鍵を生成する復号鍵生成部をさらに具備し、
前記復号化処理部が、前記基準復号鍵に換えて、前記復号鍵に基づいて、前記暗号化コンテンツを復号化する
ことを特徴とする請求項２記載の記録媒体処理装置。
【請求項４】
前記第２の読出部が、前記第２の記録媒体から、前記暗号化コンテンツを復号する基準となる基準復号鍵、および前記第２の記録媒体を識別する第２の記録媒体識別子をさらに読み出し、
第３の記録媒体から、前記第３の記録媒体を識別する第３の記録媒体識別子を読み出す第３の読出部と、
前記基準復号鍵、前記第２、第３の記録媒体識別子、および前記第１のコンテンツ識別子に基づいて、暗号鍵を生成する暗号鍵生成部と、
前記暗号鍵に基づいて、前記コンテンツを暗号化して暗号化コンテンツを生成する暗号化処理部と、をさらに具備し、
前記書込部が、前記コンテンツに換えて、前記暗号化コンテンツを前記第３の記録媒体に書き込む、
ことを特徴とする請求項１記載の記録媒体処理装置。
【請求項５】
前記第１、第３の記録媒体が光により情報の読み出し書き込みを行う光ディスクである
ことを特徴とする請求項１記載の記録媒体処理装置。
【請求項６】
前記第２の記録媒体が、
第２のコンテンツ識別子を記憶する記憶部と、
前記第２の読出部と無線による通信を行う通信部とを有する
ことを特徴とする請求項１記載の記録媒体処理装置。
【発明の詳細な説明】
【技術分野】
【０００１】
本発明は、記録媒体からの情報の読み取りおよび書き込みを行う記録媒体処理装置に関する。
【背景技術】
【０００２】
ＣＤ（Compact Disk）、ＤＶＤ（Digital Versatile Disk）等の記録媒体は、映像、音声、文章、プログラム等種々のコンテンツの保存、配布等に用いられる。即ち、記録媒体にコンテンツを記録して保存し、配布することができる。
ここで、コンテンツは一般に著作物であり、違法なコピー等を防止する必要がある。
このために、記録型メディアに書き換え不可能な状態で記録されたメディア固有番号を用いて、コピーしたものの再生を制限する技術が開示されている（特許文献１参照）。また、復号鍵データを記憶するＩＣカードを用いて暗号化されたプログラムの不正使用を防止する技術が開示されている（特許文献１参照）。
【特許文献１】特開２００３−１５７２０２号公報
【特許文献２】特開平１１−２０５３０４号公報
【発明の開示】
【発明が解決しようとする課題】
【０００３】
しかしながら、上述の特許文献１，２ではコピーしたコンテンツの再生を制限するものの、必ずしもコピー自体を制限できる訳ではない。
上記に鑑み、本発明は記録媒体に記録されたコンテンツの複製を制限できる記録媒体処理装置を提供することを目的とする。
【課題を解決するための手段】
【０００４】
上記目的を達成するために、本発明に係る記録媒体処理装置は、第１の記録媒体から、コンテンツを識別する第１のコンテンツ識別子、および前記第１のコンテンツ識別子に対応するコンテンツを読み出す第１の読出部と、第２の記録媒体から、コンテンツを識別する第２のコンテンツ識別子を読み出す第２の読出部と、前記第１の読出部によって読み出された第１のコンテンツ識別子および前記第２の読出部によって読み出された第２のコンテンツ識別子に基づいて、前記第１の記録媒体に記録されているコンテンツの複製を許可するか否かを判断する複製許可判断部と、前記複製許可判断部で複製を許可すると判断された場合に、前記第１の読出部で読み出されたコンテンツを記録用の記録媒体である第３の記録媒体に書き込む書込部と、を具備することを特徴とする。
【０００５】
第１、第２の記録媒体それぞれから読み出された第１、第２のコンテンツ識別子に基づき、第１のコンテンツに記録されたコンテンツの複製を許可するか否かを複製許可判断部が判断する。第１の記録媒体の複製には、この第１の記録媒体に記録されたコンテンツに対応する第２の記録媒体が必要となるため、第１の記録媒体の複製が制限される。即ち、第２の記録媒体の所持者のみが第１の記録媒体からのコンテンツの複製を行える。
【０００６】
（１）ここで、前記第１の読出部によって前記第１の記録媒体から読み出されるコンテンツが暗号化された暗号化コンテンツであり、前記第２の読出部が、前記第２の記録媒体から前記暗号化コンテンツを復号する基準となる基準復号鍵をさらに読み出し、記録媒体処理装置が、前記基準復号鍵に基づいて、前記暗号化コンテンツを復号化する復号化処理部、をさらに具備してもよい。
【０００７】
第１の記録媒体に記録されたコンテンツが暗号化され、この暗号化コンテンツの復号鍵を第２の記録媒体に記録しておくことで、第１の記録媒体の再生および複製を制限することができる。即ち、第２の記録媒体の所持者のみが第１の記録媒体からのコンテンツの再生を行える。
【０００８】
・前記第１の読出部が、前記第１の記録媒体から、前記第１のコンテンツ識別子に換えて、前記第１の記録媒体を識別する第１の記録媒体識別子を読み出し、前記第２の読出部が、前記第２の記録媒体から、前記第２の記録媒体を識別する第２の記録媒体識別子をさらに読み出し、記録媒体処理装置が、前記基準復号鍵、前記第１、第２の記録媒体識別子、および前記第２のコンテンツ識別子に基づいて、復号鍵を生成する復号鍵生成部をさらに具備し、前記復号化処理部が、前記基準復号鍵に換えて、前記復号鍵に基づいて、前記暗号化コンテンツを復号化しても差し支えない。
【０００９】
基準復号鍵、第１、第２の記録媒体識別子、および第２のコンテンツ識別子に基づいて復号鍵が生成される。このため、暗号化コンテンツの復号化、即ち、再生、複製を制限することができる。
【００１０】
（２）前記第２の読出部が、前記第２の記録媒体から、前記暗号化コンテンツを復号する基準となる基準復号鍵、および前記第２の記録媒体を識別する第２の記録媒体識別子をさらに読み出し、記録媒体処理装置が、第３の記録媒体から、前記第３の記録媒体を識別する第３の記録媒体識別子を読み出す第３の読出部と、前記基準復号鍵、前記第２、第３の記録媒体識別子、および前記第１のコンテンツ識別子に基づいて、暗号鍵を生成する暗号鍵生成部と、前記暗号鍵に基づいて、前記コンテンツを暗号化して暗号化コンテンツを生成する暗号化処理部と、をさらに具備し、前記書込部が、前記コンテンツに換えて、前記暗号化コンテンツを前記第３の記録媒体に書き込んでもよい。
【００１１】
基準復号鍵、第２、第３の記録媒体識別子、および第１のコンテンツ識別子に基づいて生成された暗号鍵を用いて、コンテンツの暗号化、書き込みが行われる。このため、この暗号化コンテンツの復号化、即ち、再生、複製を制限することができる。即ち、第２の記録媒体の所持者のみが第３の記録媒体からのコンテンツの再生を行える。
【００１２】
（３）前記第１、第３の記録媒体が光により情報の読み出し書き込みを行う光ディスクであり、前記第２の記録媒体が、第２のコンテンツ識別子を記憶する記憶部と、前記第２の読出部と無線による通信を行う通信部とを有してもよい。
第１、第３の記録媒体にはコンテンツの記録が予定され、例えば、光ディスクを用いることができる。
これに対して、第２の記録媒体は、第１、第３の記録媒体とは異なり、コンテンツ自体の記録を予定していないため、種々の記録媒体を用いることができる。例えば、ＩＣカードを用い無線通信により情報の読み出しが行える無線タグを利用することができる。
【発明の効果】
【００１３】
以上説明したように、本発明によれば記録媒体に記録されたコンテンツの複製を制限できる記録媒体処理装置を提供できる。
【発明を実施するための最良の形態】
【００１４】
以下、図面を参照して、本発明の実施の形態を詳細に説明する。
図１は本発明の一実施形態に係る記録媒体処理装置１００を表すブロック図である。
記録媒体処理装置１００は、第１、第２、第３の記録媒体１１，１２，１３からの情報の読み出し及び第３の記録媒体１３への情報の書き込みを行う。この結果、第１の記録媒体１１に記録されたコンテンツの再生、第３の記録媒体１３への書き込みが可能となる。
【００１５】
（第１〜第３の記録媒体の詳細）
Ａ．第１の記録媒体１１
第１の記録媒体１１は、再生専用または記録用の記録媒体であり、ＣＤ（Compact Disc）、ＤＶＤ（Digital Versatile Disc）等の光ディスクを用いることができる。再生専用の記録媒体とは、第１の記録媒体１１への情報の書き込みが、その製造時に行われ、一般ユーザによる情報の書き込みが予定されていない記録媒体をいい、例えば、ＤＶＤ−ＲＯＭである。また、記録用の記録媒体とは、一般ユーザによる情報の書き込みが予定されている記録媒体をいい、例えば、ＤＶＤ−ＲＷ、ＤＶＤ−ＲＡＭである。
【００１６】
第１の記録媒体１１には次のような情報が記録される。
（１）第１の記録媒体１１が再生専用の場合
・暗号化コンテンツ（暗号化されたコンテンツ）
このコンテンツは、映画などの画像データ（静止画及び動画を含む）、音楽などの音声データ、コンピュータのソフトウェアなど、著作権保護が必要なデータ一般を含むものとする。
この暗号化コンテンツは、後述の基準復号鍵に基づいて、復号化処理を行うことができる。
【００１７】
・第１のコンテンツ識別子
第１のコンテンツ識別子は、第１の記録媒体１１に記録された暗号化コンテンツを識別する識別子であり、コンテンツを例えばアルバム単位（例えば、映画１本、音楽１曲）で表す。
なお、第１の記録媒体１１が再生専用の場合には、暗号化コンテンツおよび第１のコンテンツ識別子の書き込みはその製造時に行われる。
【００１８】
（２）第１の記録媒体１１が記録用の場合
・暗号化コンテンツ（暗号化されたコンテンツ）
このコンテンツは、映画などの画像データ（静止画及び動画を含む）、音楽などの音声データ、コンピュータのソフトウェアなど、著作権保護が必要なデータ一般を含むものとする。即ち、再生専用の場合とコンテンツとして実質的に変わらない。但し、次のように暗号化の方式は異なる。
即ち、この暗号化コンテンツは、後述の基準復号鍵、第１，第２の記録媒体識別子、および第２のコンテンツ識別子に基づいて、復号化処理を行うことができる。この復号化処理に用いられる鍵の要素が再生専用の場合よりも多いのは、再生専用の記録媒体からコンテンツが記録された記録用の記録媒体の再生、更なる複製を制限するためである。即ち、再生専用の記録媒体に記録されたコンテンツの複製は１回に限られるようにして、累代コピーを制限している。
なお、この暗号化コンテンツは、一般ユーザによる書き込みが可能な領域に記録される。
【００１９】
・第１の記録媒体識別子
第１の記録媒体識別子は、第１の記録媒体１１を他の記録媒体と識別するための識別子であり、記録媒体毎に異なる識別子が付与される。
この第１の記録媒体識別子は、この記録媒体の製造時に、一般ユーザによる書き込み、書き換えが困難な領域（例えば、光ディスクのバーストカッティング領域（Burst Cutting Area））に記録される。
なお、第１の記録媒体１１が再生専用か記録用かの情報（種別情報）を、第１の記録媒体１１自体に記録することができる。
【００２０】
Ｂ．第２の記録媒体１２
第２の記録媒体１２は、第１の記録媒体１１からのコンテンツの再生、複製を可能とする情報が記録される。第１の記録媒体１１と組み合わせて用いることで、第１の記録媒体１１からの違法コピーを防止することができる。このため、第２の記録媒体１２には、一般ユーザによる情報の書き込みが予定されていない。
第２の記録媒体１２には、情報を記憶する記憶部と無線通信を行う通信部とを有する無線タグを用いることができる。記録媒体処理装置１００との接触を行うことなく、情報の読み出しが可能で便宜である。
【００２１】
第２の記録媒体１２には次のような情報が記録される。
・基準復号鍵
基準復号鍵は、第１の記録媒体１１に記録された暗号化コンテンツを復号化するための基準となる鍵である。
第１の記録媒体１１が再生専用の場合には、この基準復号鍵そのものを復号鍵として用いて暗号化コンテンツを再生することができる。
第１の記録媒体１１が記録用の場合には、この基準復号鍵に加えて、第１，第２の記録媒体識別子、および第２のコンテンツ識別子から復号鍵を生成し、この復号鍵により暗号化コンテンツを再生することができる。
【００２２】
・第２のコンテンツ識別子
第２のコンテンツ識別子は、暗号化コンテンツを識別する識別子であり、コンテンツを例えばアルバム単位（例えば、映画１本、音楽１曲）で表す。第２の記録媒体１２が第１の記録媒体１１に対応する場合には、この第２のコンテンツ識別子は第１のコンテンツ識別子に対応する。
【００２３】
第１、第２のコンテンツ識別子が互いに対応（例えば、一致）する場合に、第１の記録媒体１１に記録された暗号化コンテンツの複製が許容される。また、第１の記録媒体１１が再生専用の場合にのみこの複製が許可され、第１の記録媒体１１が記録用の場合には複製が許可されない。記録用の記録媒体にはコンテンツ識別子が記録されないからである。
このように、第１、第２の記録媒体１１，１２の特定の組み合わせ（第１の記録媒体１１が再生専用であり、第２の記録媒体１２には第１の記録媒体１１に記憶されている暗号化コンテンツに対応する第２のコンテンツ識別子が記録されている）の場合にのみ、第１の記録媒体１１の複製を可能として、再生専用の記録媒体に記録されているコンテンツが際限なく複製されることを防止している。
【００２４】
・第２の記録媒体識別子
第２の記録媒体識別子は、第２の記録媒体１２を他の記録媒体と識別するための識別子であり、記録媒体毎に異なる識別子が付与される。
【００２５】
Ｃ．第３の記録媒体１３
第３の記録媒体１３は、記録用の記録媒体（一般ユーザによる情報の書き込みが予定されている記録媒体）であり、ＣＤ、ＤＶＤ等の光ディスク、具体的には、ＤＶＤ−ＲＷ、ＤＶＤ−ＲＡＭを用いることができる。即ち、第３の記録媒体１３は第１の記録媒体１１と同様の記録媒体を用いることができる。
第３の記録媒体１３は第１の記録媒体１１に記録されたコンテンツの複製のために用いられる。コンテンツが複製された第３の記録媒体１３は第１の記録媒体１１に換えて配置され、第２の記録媒体と共に用いられることで、複製されたコンテンツの再生が可能である。但し、再度の複製を行うことはできない。
このように、記録用の記録媒体は、記録時には第３の記録媒体１３としてコンテンツが記録され、再生時には第１の記録媒体１１としてコンテンツの再生が行われ、この意味では第１、第３の記録媒体１１，１３の区別は便宜的なものと言える。
【００２６】
第３の記録媒体１３には次のような情報が記録される。
・第３の記録媒体識別子
第３の記録媒体識別子は、第３の記録媒体１３を他の記録媒体と識別するための識別子であり、記録媒体毎に異なる識別子が付与される。
なお、この第１の記録媒体識別子は、この記録媒体の製造時に、一般ユーザによる書き込み、書き換えが困難な領域（例えば、光ディスクのバーストカッティング領域（Burst Cutting Area））に記録される。
【００２７】
・暗号化コンテンツ（暗号化されたコンテンツ）
このコンテンツは、映画などの画像データ（静止画及び動画を含む）、音楽などの音声データ、コンピュータのソフトウェアなど、著作権保護が必要なデータ一般を含むものとする。このコンテンツ自体は第１の記録媒体１１と特に変わることがない。
この暗号化コンテンツは、第１の記録媒体１１から読み出されたコンテンツを暗号鍵で暗号化したものである。なお、この暗号鍵は、基準復号鍵、第２，第３の記録媒体識別子、および第１のコンテンツ識別子に基づいて生成される。
なお、この暗号化コンテンツは、一般ユーザによる書き込みが可能な領域に記録される。
【００２８】
（記録媒体処理装置１００の詳細）
記録媒体処理装置１００の詳細につき説明する。
記録媒体処理装置１００は、第１〜第３の読出部１１１，１１２，１１３、書込部１１４，復号鍵生成部１２１，復号化処理部１２２，ＭＰＥＧデコーダ１２３，ビデオ出力１２４，オーディオ出力１２５，複製許可判断部１３１，暗号鍵生成部１３２，暗号化処理部１３３を備える。
【００２９】
第１の読出部１１１は、第１の記録媒体１１から暗号化コンテンツ、および第１の識別子（第１の記録媒体１１が再生専用の場合：第１のコンテンツ識別子、第１の記録媒体１１が記録用の場合：第１の記録媒体識別子）を読み出す。
第２の読出部１１２は、第２の記録媒体１２から基準復号鍵、第２のコンテンツ識別子、および第２の記録媒体識別子を読み出す。
第３の読出部１１３は、第３の記録媒体１３から第３の記録媒体識別子を読み出す。
書込部１１４は、第３の記録媒体１３に暗号化処理部１３３で暗号化された暗号化コンテンツを書き込む。
【００３０】
復号鍵生成部１２１は、第１の記録媒体から読み出された暗号化コンテンツを復号化するための復号鍵を生成する。この復号鍵は次のように生成される。
・第１の記録媒体１１が再生専用の場合
第１の記録媒体１１が再生専用の場合には、第２の記録媒体１２から読み出された基準復号鍵そのものを復号鍵とする。
【００３１】
・第１の記録媒体１１が記録用の場合
第１の記録媒体１１が記録用の場合には、第２の記録媒体１２から読み出された基準復号鍵に加えて、第２のコンテンツ識別子、第２の記録媒体識別子、および第１の記録媒体から読み出された第１の記録媒体識別子を用いて、復号鍵を生成する。
なお、第１の記録媒体１１が再生専用か記録用かは、第１の記録媒体１１自体に記録された種別情報を用いて判断できる。
【００３２】
復号化処理部１２２は、復号鍵生成部１２１で生成された復号鍵を用いて、第１の記録媒体１１から読み出された暗号化コンテンツを復号化処理し、復号化コンテンツを生成する。
ＭＰＥＧデコーダ１２３は，復号化処理部１２２から出力された復号化コンテンツに含まれるＭＰＥＧフォーマットのデータをデコードして、映像、音声のデータに分離する。
ビデオ出力１２４は，ＭＰＥＧデコーダ１２３から出力された映像データを映像に変換して出力する映像出力装置、例えば、ＣＲＴ（陰極線管）、ＬＣＤ（液晶表示装置）、ＰＤＰ（プラズマディスプレイパネル）である。
オーディオ出力１２５は，ＭＰＥＧデコーダ１２３から出力された音声データを音声に変換して出力する音声出力装置、例えば、スピーカ、ヘッドホンである。
【００３３】
複製許可判断部１３１は，第１の記録媒体１１から読み出された第１コンテンツ識別子および第２の記録媒体から読み出された第２コンテンツ識別子に基づき、第１の記録媒体１１に記録されたコンテンツの複製を許可するか否かを判断する。即ち、複製許可判断部１３１は第１、第２のコンテンツ識別子が互いに対応するときにコンテンツの複製を許可し、第１、第２のコンテンツ識別子が対応しないときにコンテンツの複製を許可しない（複製禁止）。
【００３４】
このように、第１、第２の記録媒体１１，１２の特定の組み合わせ（第１の記録媒体１１が再生専用であり、第２の記録媒体１２には第１の記録媒体１１に記憶されている暗号化コンテンツに対応する第２のコンテンツ識別子が記録されている）の場合にのみ、第１の記録媒体１１の複製を可能として、再生専用の記録媒体に記録されているコンテンツが際限なく複製されることを防止している。
【００３５】
ここでは複製許可判断部１３１の判断結果に基づき、暗号鍵生成部１３２による暗号鍵の生成の制御が行われている。但し、この制御には、記録媒体１１に記録された暗号化コンテンツの第３の記録媒体１３への書き込みの許可／禁止が制御される範囲で、種々の手法を用いることができる。即ち、暗号化処理部１３３、書込部１１４の動作を制限することで、第３の記録媒体１３への書き込みが行われないようにすることができる。
【００３６】
暗号鍵生成部１３２は，複製許可判断部１３１によって複製が許可された場合に、暗号鍵を生成する。この暗号鍵は、第１の記録媒体１１から読み出された第１のコンテンツ識別子、第２の記録媒体１２から読み出された基準復号鍵、第２の記録媒体識別子、および第３１の記録媒体から読み出された第３の記録媒体識別子を用いて、生成される。
なお、複製が許可される場合には、第１、第２のコンテンツ識別子が互いに対応することから、第１のコンテンツ識別子に換えて、第２の記録媒体から読み出された第２のコンテンツ識別子を用いてもよい。
【００３７】
暗号化処理部１３３は、暗号鍵生成部１３２で生成された暗号鍵を用いて、復号化処理部１２２から出力される復号化コンテンツを暗号化処理し、暗号化コンテンツを生成する。
このとき、第１、第３の記録媒体１１，１３それぞれに記録される暗号化コンテンツは異なる暗号鍵で暗号化されている。このようにすることで、第１の記録媒体１１に記録されたコンテンツが無制限に複製されることを防止している。
【００３８】
（記録媒体処理装置１００の動作）
図２は、記録媒体処理装置１００の動作手順を表すフロー図である。
以下、図２に基づき記録媒体処理装置１００の動作手順を説明する。なお、図２には第１〜第３の記録媒体１１〜１３からの情報の読み出しのタイミングは必ずしも表されていない。これは情報の読み出しのタイミングがそれほど大きな意味を持たないことに起因する。例えば、記録媒体１１〜１３からの情報の読み出しは、ステップＳ１１以前に纏めて行われても良いし、必要とされる情報をその都度読み出してもよい。情報を何らかの記録装置（例えば、ハードディスク、半導体メモリ）に一時的に記録しておく（いわゆるバッファ処理）ことで、情報の読み出しタイミングを適宜に設定できる。
【００３９】
（１）復号鍵の生成
復号鍵生成部１２１により、第１の記録媒体から読み出された暗号化コンテンツを復号化するための復号鍵が生成される（ステップＳ１１〜Ｓ１３）。
即ち、復号鍵生成部１２１は、第１の記録媒体１１が再生専用か記録用かを、第１の記録媒体１１自体に記録された種別情報を用いて判断する（ステップＳ１１）。
第１の記録媒体１１が再生専用の場合には、第２の記録媒体１２から読み出された基準復号鍵そのものを復号鍵とする（ステップＳ１２）。
第１の記録媒体１１が記録用の場合には、第２の記録媒体１２から読み出された基準復号鍵に加えて、第２のコンテンツ識別子、第２の記録媒体識別子、および第１の記録媒体から読み出された第１の記録媒体識別子を用いて、復号鍵を生成する（ステップＳ１３）。
【００４０】
（２）暗号化コンテンツの復号化
復号化処理部１２２が、復号鍵生成部１２１で生成された復号鍵を用いて、第１の記録媒体１１から読み出された暗号化コンテンツを復号化処理し、復号化コンテンツを生成する（ステップＳ１４）。
この復号化コンテンツはＭＰＥＧデコーダ１２３で映像、音声が分離され、ビデオ出力１２４、オーディオ出力１２５から出力される。
【００４１】
（３）複製許可の判断
復号化されたコンテンツの複製を行う場合には、複製許可判断部１３１による複製を認めるか否かの判断が行われる（ステップＳ１５）。
複製許可判断部１３１は第１、第２のコンテンツ識別子が互いに対応するときにコンテンツの複製を許可し、第１、第２のコンテンツ識別子が対応しないときにコンテンツの複製を許可しない。
この判断が否定的（Ｎｏ）であった場合には、コンテンツの複製は行われない（ステップＳ１６）。
【００４２】
なお、ここではステップＳ１６での分岐が暗号鍵の生成（ステップＳ１７）に先んじて行われているが、この分岐をコンテンツの暗号化（ステップＳ１８）、または暗号化コンテンツの書き込み（ステップＳ１６）の前に配置しても差し支えない。結果として、第３の記録媒体１３へのコンテンツの書き込みが制限されれば分岐位置の配置にはある程度の自由度が認められる。
【００４３】
（４）暗号鍵の生成
ステップＳ１５での判断が肯定的（Ｙｅｓ）であった場合には、暗号鍵生成部１３２による暗号鍵の生成が行われる（ステップＳ１７）。
この暗号鍵は、第１の記録媒体１１から読み出された第１のコンテンツ識別子、第２の記録媒体１２から読み出された基準復号鍵、第２の記録媒体識別子、および第３１の記録媒体から読み出された第３の記録媒体識別子を用いて、生成される。
なお、複製が許可される場合には、第１、第２のコンテンツ識別子が互いに対応することから、第１のコンテンツ識別子に換えて、第２の記録媒体から読み出された第２のコンテンツ識別子を用いてもよい。
【００４４】
（５）コンテンツの暗号化
ステップＳ１７で暗号鍵が生成された場合には、コンテンツの暗号化、第３の記録媒体１３への書き込みが行われる（ステップＳ１８〜Ｓ１９）。
即ち、暗号化処理部１３３が、暗号鍵生成部１３２で生成された暗号鍵を用いて、復号化処理部１２２から出力される復号化コンテンツを暗号化処理し、暗号化コンテンツを生成する（ステップＳ１８）。
また、暗号化処理部１３３から出力された暗号化コンテンツは、書込部１１４によって第３の記録媒体１３に書き込まれる。
【００４５】
このようにしてコンテンツが記録された第３の記録媒体１３は、第１の記録媒体１１と置き換えられ、第１の読出部１１１で読み取られて、先のステップＳ１３に対応する工程で生成された復号鍵によって再生することができる。このときに生成される復号鍵はステップＳ１７で生成された暗号鍵に対応する。ステップＳ１３での第１の記録媒体識別子はステップＳ１８での第３の記録媒体識別子に対応し、ステップＳ１３での第２のコンテンツ識別子はステップＳ１８での第１のコンテンツ識別子に対応するからである。
また、コンテンツが記録された第３の記録媒体１３は、再度の複製が制限される。これは、第３の記録媒体１３にコンテンツ識別子が記録されないことから、再度のステップＳ１５で複製を禁止する判断が下されるからである。
【００４６】
以上のようにして、組み合わされた第１、第２の記録媒体１１，１２を用いて、第１の記録媒体１１からのコンテンツの再生および第３の記録媒体１３への書き込み（複製）を行える。第１の記録媒体１１の再生、複製に第２の記録媒体１２の存在を必要とすることから、第１の記録媒体１１からの無制限な再生、複製が制限される。
コンテンツが複製された第３の記録媒体は、第２の記録媒体を用いて再生することができる。
このように、第１の記録媒体１１およびそれから複製された第３の記録媒体１３いずれの再生にも、第２の記録媒体を要することから、第２の記録媒体の所持者のみが第１、第３の記録媒体１１，１３の再生が可能である。この結果、第１の記録媒体１１に記録されたコンテンツを保護することができる。
【００４７】
また、第２の記録媒体１２の所持者であっても、第１の記録媒体１１からコンテンツが複製された第３の記録媒体１３を更に複製することはできない。
以上のようにして、第１の記録媒体１１のコンテンツの無制限な複製が制限される。
【００４８】
（その他の実施形態）
本発明の実施形態は上記の実施形態に限られず拡張、変更可能であり、拡張、変更した実施形態も本発明の技術的範囲に含まれる。
【図面の簡単な説明】
【００４９】
【図１】本発明の一実施形態に係る記録媒体処理装置を表すブロック図である。
【図２】図１の記録媒体処理装置での処理手順の一例を表すフロー図である。
【符号の説明】
【００５０】
１１，１２，１３…記録媒体、１００…記録媒体処理装置、１１１，１１２，１１３…読出部、１１４…書込部、１２１…復号鍵生成部、１２２…復号化処理部、１２３…ＭＰＥＧデコーダ、１２４…ビデオ出力、１２５…オーディオ出力、１３１…複製許可判断部、１３２…暗号鍵生成部、１３３…暗号化処理部
【図１】
2005216376.tif 000003
【図２】
2005216376.tif 000004